(57)【特許請求の範囲】
【請求項１】
クリアランスを介して建てられた左右の建物の床面にクリアランスを開口するように形成された一対の凹部形状面を設け、該一対の凹部形状面間にそれぞれ金属製のベースプレートを敷設固定し、該一対の金属製のベースプレート上には前記クリアランスを塞ぐためのエキスパンションジョイント床を架設した構成のエキスパンションジョイントにおいて、
該一対の金属製のベースプレートはそれぞれの凹部形状面の立ち上がり部分に立上がり斜部とベローズ受け部を設け、
該一対の金属製のベースプレート上に架設したエキスパンションジョイント床の両端部には立上り斜部とベローズ受け部に当設されるゴム系型及び樹脂系素材からなる伸縮自在の目地用ベローズを配置し、
該エキスパンションジョイント床の両端部には通常時において上記伸縮自在の目地用ベローズを設けてエキスパンションジョイント床の上面が左右の床面の上面とほぼ同一面となるように設置されており地震により左右の方向に揺れ動き目地用ベローズが前記ベローズ受け部に当接して収縮することによりエキスパンションジョイント床は左右の床面に乗り上げて突出されることなく一対の金属製のベースプレート上に保持され左右の床面とエキスパンションジョイント床はフラット形状に維持可能となし、
また前記エキスパンションジョイント床は複数個の中央位置維持機構により左右の建物間の中央部に位置した状態で両端部の目地用ベローズをスライド移動可能で地震によりクリアランスが広くなった場合にはエキスパンションジョイント床の両端部に設けられた目地用ベローズはベローズ受け部との間にそれぞれ間隙を形成するがその間隙はそれぞれ立上がり斜部を経て底部として嵩上げされた構成とすることを特徴とする免震エキスパンションジョイント床の目地装置。
【請求項２】
クリアランスを介して建てられた左右の建物の床面にクリアランスを開口するように形成された一対の凹部形状面を設け、該一対の凹部形状面間にそれぞれ金属製のベースプレートを敷設固定し、該一対の金属製のベースプレート上には前記クリアランスを塞ぐためのエキスパンションジョイント床を架設した構成のエキスパンションジョイントにおいて、
該建物と建物との躯体間上面には夫々形状の異なる凹部形状面を構成し、
該片側の凹部形状面にはＬ字形金属製ベースプレートを敷設し他方の金属製ベースプレートには前記凹部形状面の立ち上がり部分において立上がり斜部とベローズ受け部を設置し、
該Ｌ字型金属製ベースプレートと立上がり斜部とベローズ受け部を有する凹部形状面間にエキスパンションジョイント床を架設し、
該架設されたエキスパンションジョイント床の片側はＬ字形金属製ベースプレート側で複数個のウイング用丁番にて回動可能に固定されており、
また該エキスパンションジョイント床の他方は立上がり斜部とベローズ受け部を設置された金属製のベースプレート上に摺動可能に敷置され、
該エキスパンションジョイント床の摺動可能側は前記立上がり斜部とベローズ受け部に当設されるゴム系及び樹脂系素材からなる伸縮自在の目地用ベローズを配置し、
該エキスパンションジョイント床の摺動可能側は通常時において上記伸縮自在の目地用ベローズを設けてエキスパンションジョイント床の上面が左右の床面の上面とほぼ同一面となるように設置されており地震により左右の方向に揺れ動き目地用ベローズが前記ベローズ受け部に当接して収縮することによりエキスパンションジョイント床は床面に乗り上げて突出されることなく一対の金属製のベースプレート上に保持され左右の床面とエキスパンションジョイント床はフラット形状に維持可能となし、
該エキスパンションジョイント床の摺動可能側は地震によりクリアランスが広くなった場合にエキスパンションジョイント床の片端部に設けられた目地用ベローズとベローズ受け部との間に間隙を形成するがその間隙は立上がり斜部を経て底部として嵩上げされた構成とすることを特徴とする免震エキスパンションジョイント床の目地装置。
【発明の詳細な説明】
【技術分野】
【０００１】
本発明は、歩行者用や車路として用いられる免震エキスパンションジョイント床の目地装置に関するものであり、また本発明は、地震により免震エキスパンションジョイント床の片側や両側が床面上に突出した場合の各種エキスパンションジョイント床の修理にも使用できる床目地の構造部材に関するものである。  
【０００２】
本発明は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供するものであり、該エキスパンションジョイントの目地装置は地震による揺れが続いている場合においてもエキスパンションジョイント床カバー材と目地構造部材面をフラットに保つことができ、歩行者の安全な避難が確保できる目地装置を提供するものである。
【０００３】
また、本発明は、地震による建物間の変形によりエキスパンションジョイント床カバー材の片側や両端が建物と建物間の床面上に乗り上げて大きな段差を作ってしまつた場合や、エキスパンションジョイント部分が拡がってエキスパンションジョイント床カバー部分に隙間が生じてしまった場合、該エキスパンションジョイント床カバー材の片側や両端部に本発明の床目地装置を取り付けることでエキスパンションジョイント床カバー材を含めたエキスパンションジョイント部分をフラット形状に修復修理することが容易に行える免震エキスパンションジョイント床の目地装置を提供するものである。
【背景技術】
【０００４】
免震建物においては、建物が地震時に大変形を生じることに対する建築的な対応が最重要事項である。この大変形は地盤と建物の間に生じる変形で、この場合に生じる免震建造物と非免震建造物間の相互移動に対応したクリアランスを確保する必要がある。
【０００５】
即ち、建物外部から免震建物への人や車の出入りに利用される動線上において免震エキスパンションジョイント床は、建物へのアプローチとして一番重要な部分であり、躯体間の相互移動に対応できる免震エキスパンションジョイント床が必要となる。
【０００６】
斯して、最近の建造物においては、建物の高層化や免震構造の採用に伴い従来よりも免震建造物と非免震建造物との躯体間のクリアランスは広がる傾向にある。然しながら、クリアランスを大きく取るとクリアランス上に装架されるエキスパンション床カバー材は大型で幅広となり、且つ、エキスパンションジョイント床カバー材が免震建造物と非免震建造物との躯体間で摺動する間隙、即ち大きな可動範囲を有する構造のものが必要とされてきている。
【０００７】
上述した大きな可動範囲を有する構造のエキスパンションジョイント床カバーとその目地部、並びにカバー材の摺動構造に関しては、例えば、特開２００３−１２９５７６号公報（以下、特許文献１と称する）の発明が開示されている。
【０００８】
そして、上記、特許文献１の発明は、エキスパンションジョイント床カバー材が免震建造物と非免震建造物との躯体間で摺動する間隙部を被覆面部（カバープレート）にて塞いだ構成のものが開示されている。
【０００９】
然しながら、特許文献１の発明のように建造物と建造物との間隙をエキスパンションジョイント床カバー材と床面間に生じる可動スペースを被覆面部（カバープレート）にて塞ぐ構成では、被覆面のカバープレートが地震時の揺れによって図５（ｂ）（引用文献１の符号）の如く被覆面部のカバープレートが床面から上部に跳ね上がったり、エキスパンション床カバー材の収納部５が図５（ｃ）（引用文献１の符号）の如く段差を有する間隙となって現れるので、地震の揺れが続いている場合に歩行者や避難者に怪我をさせてしまうという構造上の大きな欠点があった。
【００１０】
また、地震による揺れがおさまった場合においては、エキスパンションジョイント床カバー材が、図５（ｂ）、（ｃ）（引用文献１の符号）の如く被覆面部のカバープレートが床面から上部に跳ね上がった状態で停止して、床面上に突出してしまつたり、エキスパンション床カバー材の収納部が段差を有する間隙となって残ってしまい、当該部分を補修修理しなければ、歩行者や車の通行に支障をきたすことになる。
【００１１】
この場合においても、免震建造物と非免震建造物自体は、エキスパンションジョイントの働きにより損傷を受けておらず、当該建物への重要なアプローチであるエキスパンションジョイント床は、速やかに修理修復する必要があり、エキスパンションジョイント床カバー材の片側や両端が建物と建物間の床面上に乗り上げて大きな段差を作ってしまつた場合に、該エキスパンションジョイント床カバー材の片側や両端部に本発明のような床目地装置を取り付けることでエキスパンションジョイント床カバー材を含めたエキスパンションジョイント部分をフラット形状に修復修理することが容易に行える免震エキスパンションジョイント床の目地装置の具現化が要求されるようになってきた。
【００１２】
斯くして、この種のエキスパンションジョイント床の従来装置として、目地プレートの端部が床面上に突出しても、歩行者が目地プレートの端部に衝突することなく安全に使用することができる床目地装置を提供することを目的とした特開２０００−３２８６７４号公報（以下、特許文献２と称する）の発明が開示されている。
【００１３】
特許文献２の発明に開示されているエキスパンションジョイント５０は、図７乃至図１０（Ａ）、（Ｂ）に示すように、目地部５１を介して建てられた左右の建物５２ａ、５２ｂの床面５３ａ、５３ｂに、該目地部５１に開口するように形成された一対の凹部５４ａ、５４ｂを設け、この一対の凹部５４ａ、５４ｂにそれぞれ固定された反目地部側が傾斜のガイド面５５ａ、５５ｂとなる一対の固定金具５６ａ、５６ｂを設けている。
【００１４】
この一対の固定金具５６ａ、５６ｂのガイド面５５ａ、５５ｂを除く部位間を覆う目地プレート５７と、この目地プレート５７の両端部にそれぞれ固定的、あるいは下部側部位で蝶番５８ａ、５８ｂ、５８ｃ・・・等で回動可能に取付けられた前記一対の固定金具５６ａ、５６ｂのガイド面５５ａ、５５ｂを覆うゴム等の弾性材で形成された保護体５９ａ、５９ｂと、前記一対の固定金具５６ａ、５６ｂ、あるいは、前記左右の建物５２ａ、５２ｂの床部分の躯体に取付けられた中央枢支部に前記目地プレート５７に前記目地プレートの中央部に取付けられた支持杆６０がそれぞれ上下移動可能に枢支された少なくとも２個以上の中央維持装置６１とで床目地装置を構成しているものである。
【００１５】
そして、特許文献２の発明においては、通常時に図１０に示すように目地プレート５７及び両端部の保護体５８ａ、５８ｂによって目地部５１及び一対の固定金具５６ａ、５６ｂの上部を覆い、上面が左右の床面５３ａ、５３ｂの上面とほぼ同一面となるように設置されている。
【００１６】
而して、地震により左右の建物５２ａ、５２ｂが異なる方向に揺れ動き、図８（Ｂ）に示すように目地部５１の寸法が狭くなった場合、目地プレート５７は複数個の中央維持装置６１によって常時中央部に位置した状態で両端部の下面が一対の固定金具５６ａ、５６ｂのガイド面５５ａ、５５ｂに沿って上方へスライド移動し、両端部が左右の建物５２ａ、５２ｂの床面５３ａ、５３ｂ上に乗り上がる。この時、一対の保護体５８ａ、５８ｂは蝶番５８ａ、５８ｂ、５８ｃ・・・の枢支ピンにより回動し、該一対の保護体５９ａ、５９ｂの先端部が左右の建物５２ａ、５２ｂの床面５３ａ、５３ｂ上に支持された状態となる。
【００１７】
また、左右の建物５２ａ、５２ｂが図８（Ｃ）に示すように目地部５１の寸法が広くなった場合、目地プレート５７は複数個の中央維持装置６１によって通常中央部に位置した状態で両端部が一対の固定金具５６ａ、５６ｂ上をスライド移動するとともに、両端部の一対の保護体５９ａ、５９ｂの先端部も一対の固定金具５６ａ、５６ｂのガイド面５５ａ、５５ｂ等に接触した状態で回動しながらスライド移動する。
【００１８】
斯くして、特許文献２における図８（Ｂ）、（Ｃ）の状態をみると、図８（Ｂ）の状態は、地震の揺れが収まった状態で目地プレート５７が上方にスライド移動して両端部が左右の建物５２ａ、５２ｂの床面５３ａ、５３ｂ上に乗り上がった状態であり、また、図８（Ｃ）の状態は、地震の揺れが収まった状態で目地プレート５７が一対の凹部５４ａ、５４ｂ内に収まり左右に凹部間隙を形成してしまい、更に目地プレート５７の両側が形成する段差や、回動した一対の保護体５９ａ、５９ｂも夫々三角形状の突起物となってしまい歩行者や車の通行にとっては障害となるばかりでなく、大変に危険である。
【００１９】
また、エキスパンションジョイント５０を設置した建物は、大地震の直後でも左右の建物に損傷を与えることなく経済活動を営んでいる確率が高いとおもわれるが、当該建物へ重要なアプローチとなるエキスパンションジョイント５０の部分がデコボコでは大変危険であるばかりでなく、大地震直後の数か月は繰り返し震度３〜４程度の余震が続くことを考慮すれば、図８（Ｂ）、や（Ｃ）の状態において余震が発生すると避難者にとってエキスパンションジョイント５０部分は、図８（Ｂ）、（Ｃ）の状態で揺れ動くことになり大変危険な場所となり、結局建物の管理者は、歩行者や車の通行を遮断して復旧工事を急がなければならいものとなる。
【００２０】
尚、特許文献２においては、上記図７及び図８の実施例の他に図９の様に目地プレート５７の両端部の保護体５９ａ、５９ｂが固定的に取付けられているもの、或いは図１０（Ａ）、（Ｂ）の如く目地プレート５７の片側が建物５２ａの目地部側の床面５３ａに形成された支持凹部６２に上下移動可能に取付けられた目地プレート支持金具６３に支持させたものが開示されているが、何れもその動作は、地震の揺れが収まった状態で目地プレート５７が上方にスライド移動して両端部が左右の建物５２ａ、５２ｂの床面５３ａ、５３ｂ上に乗り上がった状態を形成するものであり、余震が発生すると避難者にとってエキスパンションジョイント５０部分は、図１２、或いは図１０（Ｂ）の状態で揺れ動くことになり、大変危険な場所となってしまうと云う大きな欠点が存在する。
【先行技術文献】
【特許文献】
【００２１】
【特許文献１】特開２００３−１２９５７６号公報
【特許文献２】特開２０００−３２８６７４号公報
【発明の概要】
【発明が解決しよとする課題】
【００２２】
従来のエキスパンションジョイント床の目地装置は、免震建造物と非免震建造物との躯体間のクリアランスが狭くなるように揺れ動いた場合に、地震の揺れが収まった状態で目地プレートが上方にスライド移動して両端部が左右の建物の床面上に乗り上がった状態を作出したり、また、地震の揺れが収まった状態で目地プレートが一対の凹部内に収まり左右に凹部間隙を形成してしまうので、目地プレートの両側が形成する段差や、回動した目地用の保護体が夫々突起物となってしまい歩行者や車の通行にとっては障害となるばかりでなく、大変に危険である。
【００２３】
また、エキスパンションジョイント床を設置した建物は、大地震の直後でも左右の建物に損傷を与えることなく経済活動を営んでいる確率が高いとおもわれるが、当該建物へ重要なアプローチとなるエキスパンションジョイント床部分がデコボコでは大変危険であるばかりでなく、大地震直後の数か月は繰り返し震度３〜４程度の余震が続くことを想定すれば、余震が発生した場合に避難者にとってエキスパンションジョイント部分は、目地プレートが上方にスライド移動して両端部が左右の建物の床面上に乗り上がった状態で揺れ動いたり、目地プレートが一対の凹部内に収まり左右に凹部間隙を形成した状態で揺れ動くことになり大変危険な場所となる。
【００２４】
斯くして、本発明は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供するものであり、該エキスパンションジョイントの目地装置は地震による揺れが続いている場合においてもエキスパンションジョイント床カバー材と目地構造部材面をフラットに保つことができ、歩行者の安全な避難が確保できる目地装置を提供するものである。
【００２５】
また、本発明は、地震による建物間の変形によりエキスパンションジョイント床カバー材の片側や両端が建物と建物間の床面上に乗り上げて大きな段差を作ってしまつた場合に、該エキスパンションジョイント床カバー材の片側や両端部に本発明の床目地装置を取り付けることでエキスパンションジョイント床カバー材を含めたエキスパンションジョイント部分をフラット形状に修復修理することが容易に行える免震エキスパンションジョイント床の目地装置を提供するものである。
【課題を解決するための手段】
【００２６】
本発明は、建物と建物との躯体間に設けられたクリアランスを塞ぐための床用エキスパンションジョイントにおいて、該建物と建物との躯体間上面には一対の凹部形状面を構成し、該一対の凹部形状面には夫々金属製のベースプレートを敷設し、該金属製のベースプレートはそれぞれ前記凹部形状面の立ち上がり部分において立上がり斜部とベローズ受け部を設置したエキスパンション床摺動部を有し、該一対の凹部形状面上に敷設された金属製ベースプレート上には前記クリアランスを塞ぐためのエキスパンションジョイント床を架設し、該エキスパンションジョイント床の両端部には前記ベローズ受け部に当設されるゴム系型及び樹脂系素材からなる伸縮自在の目地用ベローズを設けることにより、前記ベローズ部分にて地震時における振動を吸収して免震エキスパンションジョイント床を床面上に水平に乗り上げさせないエキスパンションジョイント床の目地装置を提供するものである。
【００２７】
また、本発明は、建物と建物との躯体間に設けられたクリアランスを塞ぐための床用エキスパンションジョイントにおいて、該建物と建物との躯体間上面には夫々形状の異なる凹部形状面を構成し、該片側の凹部形状面にはＬ字形金属製ベースプレートを敷設し、他方の金属製ベースプレートには前記凹部形状面の立ち上がり部分において立上がり斜部とベローズ受け部を設置し、該Ｌ字型金属製ベースプレートと立上がり斜部とベローズ受け部を有する凹部形状面間にエキスパンション床を架設し、該架設されたエキスパンションジョイント床の片側はＬ字形金属製ベースプレート側で複数個ウイング用丁番やウイング用スプリング付きボルトで回動可能に固定されており、また該架設されたエキスパンションジョイントの他方は立上がり斜部とベローズ受け部を設置されエキスパンション床摺動部を有する金属製ベースプレート上に摺動可能に敷置され、該エキスパンションジョイント床の摺動可能な側には、前記ベローズ受け部に当設されるゴム系及び樹脂系素材からなる伸縮自在の目地用ベローズを設けることにより、前記ベローズ部分にて地震時における振動を吸収して免震エキスパンションジョイント床を床面上に乗り上げさせないエキスパンションジョイント床の目地装置を提供するものである。
【００２８】
斯くして、本発明は、建物と建物との躯体間に設けられたクリアランスを塞ぐための床用エキスパンションジョイント用目地装置として、立上がり斜部とベローズ受け部を設置したエキスパンション床摺動部を有する金属製ベースプレートと、該エキスパンションジョイント床の端部に取付可能なベローズ固着用枠、並びに該エキスパンションジョイント床の端部に設けられるゴム系型及び樹脂系素材からなる伸縮自在の目地用ベローズをセットにして、床用エキスパンション補修用目地部材としたものであり、地震による建物間の変形によりエキスパンションジョイント床カバー材の片側や両端が建物と建物間の床面上に乗り上げて大きな段差を作ってしまつた場合に、該エキスパンションジョイント床カバー材の片側や、両端部に本発明の床目地装置を取り付けることでエキスパンションジョイント床カバー材を含めたエキスパンションジョイント部分をフラット形状に修復修理することが容易に行える免震エキスパンションジョイント床の目地装置を提供することが可能である。
【００２９】
そして、前記エキスパンションジョイント床の両端部、または片側に使用される目地用ベローズはゴム系及び樹脂系素材からなる収縮自在のベローズは、クロロプレンゴム、ウレタンゴム、フッ素ゴム、塩化ビニールなどの素材を押出し成形して製造するものであり、該目地用ベローズの突出部は伸縮を可能にする長手方向に穿たれた一個又は複数個の収縮孔を有しており、該目地用ベローズはエキスパンションジョイント床面の表面にノンスリップ形状溝を設け、また目地用ベローズはエキスパンション床の端部に取付けるために形成したベローズ取付部を設けることにより本発明を実施可能にした。
【発明の効果】
【００３０】
斯くして、本発明は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供可能とした。
【００３１】
また本発明は、エキスパンションジョイントの目地装置は地震による揺れが続いている場合においてもエキスパンションジョイント床カバー材と目地構造部材面をフラットに保つことができ、歩行者の安全な避難が確保できる目地装置を提供可能とした。
【００３２】
更に、本発明は、地震による建物間の変形によりエキスパンションジョイント床カバー材の片側や両端が建物と建物間の床面上に乗り上げて大きな段差を作ってしまつた場合に、該エキスパンションジョイント床カバー材の片側や両端部に本発明の床目地装置を取り付けることでエキスパンションジョイント床カバー材を含めたエキスパンションジョイント部分をフラット形状に修復修理することが容易に行える免震エキスパンションジョイント床の目地装置を提供することができた。
【図面の簡単な説明】
【００３３】
【図１】本発明の実施の形態を示す平面図である。
【図２】（Ａ）図１のａ−ａ断面図である。             （Ｂ）図２（Ａ）の動作を説明する断面図である。             （Ｃ）図２（Ｃ）の他の動作を説明する断面図である。
【図３】（Ａ）図２に使用されたベローズ型目地部の拡大説明図である。             （Ｂ）図２に使用されたベローズ型目地部の動作説明図である。
【図４】（Ａ）ベローズ型目地部の他の形状例を示す断面図である。             （Ｂ）ベローズ型目地部の他の形状例を示す断面図である。             （Ｃ）ベローズ型目地部の他の形状例を示す断面図である。
【図５】本発明の実施例を説明する実施形態図である。
【図６】（Ａ）図５のｂ−ｂ断面図である。             （Ｂ）図６（Ａ）の動作を説明する断面図である。             （Ｃ）図６（Ａ）の他の動作を説明する断面図である。
【図７】従来例を説明する平面図である。
【図８】（Ａ）図７のｃ−ｃ断面図である。             （Ｂ）図８（Ａ）の動作を説明する断面図である。             （Ｃ）図８（Ａ）の他の動作を説明する断面図である。
【図９】動作の異なる従来例を説明する断面図である。
【図１０】（Ａ）動作の異なる従来例を説明する断面図である。              （Ｂ）図１０（Ａ）の動作を説明する断面図である。
【発明を実施するための形態】
【００３４】
従来のエキスパンションジョイント床の目地装置は、免震建造物と非免震建造物との躯体間のクリアランスが狭くなるように揺れ動いた場合に、地震の揺れが収まった状態で目地プレートが上方にスライド移動して両端部が左右の建物の床面上に乗り上がった状態を作出したり、また、地震の揺れが収まった状態で目地プレートが一対の凹部内に収まり左右に凹部間隙を形成してしまうので、目地プレートの両側が形成する段差や、回動した目地用の保護体が夫々突起物となってしまい歩行者や車の通行にとっては障害となるばかりでなく、大変に危険である。
【００３５】
また、エキスパンションジョイント床を設置した建物は、大地震の直後でも左右の建物に損傷を与えることなく経済活動を営んでいる確率が高いとおもわれるが、当該建物へ重要なアプローチとなるエキスパンションジョイント床部分がデコボコでは大変危険であるばかりでなく、大地震直後の数か月は繰り返し震度３〜４程度の余震が続くことを想定すれば、余震が発生した場合に避難者にとってエキスパンションジョイント部分は、目地プレートが上方にスライド移動して両端部が左右の建物の床面上に乗り上がった状態で揺れ動いたり、目地プレートが一対の凹部内に収まり左右に凹部間隙を形成した状態で揺れ動くことになり大変危険な場所となる。
【００３６】
尚、先の震災で出願人が調査したエキスパンションジョイント床の損壊事例では、約８割が目地プレートの上方にスライド移動して、両端部が左右の建物の床面上に乗り上がった状態や、片側が建物の床面上に乗り上がった状態で段差やデコボコを創り出していた。
【００３７】
斯くして、本発明は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供するものであり、該エキスパンションジョイントの目地装置は地震による揺れが続いている場合においてもエキスパンションジョイント床カバー材と目地構造部材面をフラットに保つことができ、歩行者の安全な避難が確保できる目地装置を提供するものである。
【００３８】
また、本発明は、地震による建物間の変形によりエキスパンションジョイント床カバー材の片側や両端が建物と建物間の床面上に乗り上げて大きな段差を作ってしまつた場合に、該エキスパンションジョイント床カバー材の片側や両端部に本発明の床目地装置を取り付けることでエキスパンションジョイント床カバー材を含めたエキスパンションジョイント部分をフラット形状に修復修理することが容易に行える免震エキスパンションジョイント床の目地装置を提供するものである。
【００３９】
本発明は、建物と建物との躯体間に設けられたクリアランスを塞ぐための床用エキスパンションジョイントにおいて、該建物と建物との躯体間上面には一対の凹部形状面を構成し、該一対の凹部形状面には夫々金属製のベースプレートを敷設し、該金属製のベースプレートはそれぞれ前記凹部形状面の立ち上がり部分において立上がり斜部とベローズ受け部を設置したエキスパンション床摺動部を有し、該一対の凹部形状面上に敷設された金属製ベースプレート上には前記クリアランスを塞ぐためのエキスパンションジョイント床を架設し、該エキスパンションジョイント床の両端部には前記ベローズ受け部に当設されるゴム系型及び樹脂系素材からなる伸縮自在の目地用ベローズを設けることにより、前記ベローズ部分にて地震時における振動を吸収して免震エキスパンションジョイント床を床面上に水平に乗り上げさせないエキスパンションジョイント床の目地装置であることが好ましい。
【００４０】
また、本発明は、建物と建物との躯体間に設けられたクリアランスを塞ぐための床用エキスパンションジョイントにおいて、該建物と建物との躯体間上面には夫々形状の異なる凹部形状面を構成し、該片側の凹部形状面にはＬ字形金属製ベースプレートを敷設し、他方の金属製ベースプレートには前記凹部形状面の立ち上がり部分において立上がり斜部とベローズ受け部を設置し、該Ｌ字型金属製ベースプレートと立上がり斜部とベローズ受け部を有する凹部形状面間にエキスパンション床を架設し、該架設されたエキスパンションジョイント床の片側はＬ字形金属製ベースプレート側で複数個ウイング用丁番やウイング用スプリング付きボルトで回動可能に固定されており、また該架設されたエキスパンションジョイントの他方は立上がり斜部とベローズ受け部を設置されエキスパンション床摺動部を有する金属製ベースプレート上に摺動可能に敷置され、該エキスパンションジョイント床の摺動可能な側には、前記ベローズ受け部に当設されるゴム系及び樹脂系素材からなる伸縮自在の目地用ベローズを設けることにより、前記ベローズ部分にて地震時における振動を吸収して免震エキスパンションジョイント床を床面上に乗り上げさせないエキスパンションジョイント床の目地装置であることが好ましい。
【００４１】
斯くして、本発明は、建物と建物との躯体間に設けられたクリアランスを塞ぐための床用エキスパンションジョイント用目地装置として、立上がり斜部とベローズ受け部を設置したエキスパンション床摺動部を有する金属製ベースプレートと、該エキスパンションジョイント床の端部に取付可能なベローズ固着用枠、並びに該エキスパンションジョイント床の端部に設けられるゴム系型及び樹脂系素材からなる伸縮自在の目地用ベローズをセットにして、床用エキスパンション補修用目地部材としたものであり、該補修用目地部再は、地震による建物間の変形によりエキスパンションジョイント床カバー材の片側や両端が建物と建物間の床面上に乗り上げて大きな段差を作ってしまつた場合に、該エキスパンションジョイント床カバー材の片側や、両端部に本発明の床目地装置を取り付けることでエキスパンションジョイント床カバー材を含めたエキスパンションジョイント部分をフラット形状に修復修理することが容易に行える免震エキスパンションジョイント床の目地装置を提供することが可能である。
【００４２】
そして、前記エキスパンションジョイント床の両端部、または片側に使用される目地用ベローズはゴム系及び樹脂系素材からなる収縮自在のベローズは、クロロプレンゴム、ウレタンゴム、フッ素ゴム、塩化ビニールなどの素材を押出し成形して製造するものであり、該目地用ベローズの突出部は伸縮を可能にする長手方向に穿たれた一個又は複数個の収縮孔を有しており、該目地用ベローズはエキスパンションジョイント床面の表面にノンスリップ形状溝を設け、また目地用ベローズはエキスパンション床の端部に取付けるために形成したベローズ取付部を設けることにより本発明を実施可能にしている。
【００４３】
従って、本発明は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供可能とした。
【００４４】
また本発明は、エキスパンションジョイントの目地装置は地震による揺れが続いている場合においてもエキスパンションジョイント床カバー材と目地構造部材面をフラットに保つことができ、歩行者の安全な避難が確保できる目地装置を提供可能とした。
【００４５】
そして、本発明は、地震による建物間の変形によりエキスパンションジョイント床カバー材の片側や両端が建物と建物間の床面上に乗り上げて大きな段差を作ってしまつた場合に、該エキスパンションジョイント床カバー材の片側や両端部に本発明の床目地装置を取り付けることでエキスパンションジョイント床カバー材を含めたエキスパンションジョイント部分をフラット形状に修復修理することが容易に行える免震エキスパンションジョイント床の目地装置を提供することが可能である。
【実施例１】
【００４６】
図１乃至図４（Ａ）、（Ｂ）、（Ｃ）は実施例１を説明するものであり、図１は平面図、図２（Ａ）は図１のａ−ａ断面図、図２（Ｂ）、（Ｃ）動作説明図、図３（Ａ）、（Ｂ）はベローズ型目地部の動作説明図、図４（Ａ）、（Ｂ）、（Ｃ）は他の目地用ベローズの形状説明図である。
【００４７】
図１乃至図４において、エキスパンションジョイント１は、クリアランス２を介して建てられた左右の建物３ａ、３ｂ間の床面４ａ、４ｂに、該クリアランス２を開口するように形成された一対の凹部形状面５ａ、５ｂを設け、この一対の凹部形状面５ａ、５ｂ間にそれぞれ金属製のベースプレート６ａ、６ｂを敷設固定している。
【００４８】
そして、この一対の金属製のベースプレート６ａ、６ｂはそれぞれ前記凹部形状面５ａ、５ｂの立ち上がり部分において、立上がり斜部７ａ、７ｂとベローズ受け部８ａ、８ｂを設置したエキスパンション床摺動部９ａ、９ｂを有し、該一対の凹部形状面５ａ、５ｂ上に敷設された金属製ベースプレート６ａ、６ｂ上には前記クリアランス２を塞ぐためのエキスパンションジョイント床１０を架設し、該エキスパンションジョイント床１０の両端部には前記ベローズ受け部８ａ、８ｂに当設されるゴム系及び樹脂系素材からなる伸縮自在の目地用ベローズ１１ａ、１１ｂを設けている。
【００４９】
尚、１２ａ、１２ｂ、１２ｃ・・・（図１に示す）は、エキスパンションジョイント床１０の中央位置維持機構で、該中央位置維持機構１２ａ、１２ｂ、１２ｃ・・・は例えば従来からよく使用されているパンタグラフ形式のものが採用されている。
【００５０】
斯くして、実施例１においては、通常時に図２（Ａ）に示すようにエキスパンションジョイント床１０、及び目地用ベローズ１１ａ、１１ｂによってエキスパンションジョイント１の上部を覆い、該エキスパンションジョイント１のエキスパンションジョイント床１０上面が左右の床面４ａ、４ｂの上面とほぼ同一面となるように設置されている。
【００５１】
そして、地震により左右の建物３ａ、３ｂが矢印方向に揺れ動き、図２（Ｂ）に示すように目地２寸法が狭くなった場合、目地用ベローズ１１ａ、１１ｂが前記ベローズ受け部８ａ、８ｂに当接して収縮するので、エキスパンションジョイント床１０は、前記床面４ａ、４ｂ上面に乗り上げて突出されることなく一対の凹部形状面５ａ、５ｂ上に保持されるので、床面４ａ、４ｂ、目地用ベローズ１１ａ、１１ｂ、そして、エキスパンションジョイント床１０は平面状、即ち、フラット形状に維持される。
【００５２】
また、左右の建物３ａ、３ｂが図２（Ｃ）に示すようにエキスパンション１の寸法が広くなった場合、エキスパンションジョイント床１０は複数個の中央位置維持機構１２ａ、１２ｂ、１２ｃ・・・（図１に示す）によってクリアランス２中央部に位置した状態で両端部の目地用ベローズ１１ａ、１１ｂをスライド移動させ、ベローズ受け部８ａ、８ｂと目地用ベローズ１１ａ、１１ｂ間に夫々隙間を形成するが、該隙間は夫々立上り斜部７ａ、７ｂを経て底部１３ａ、１３ｂと嵩上げされており、大きな段差とはなりえない。        
【００５３】
図３（Ａ）は、図２（Ａ）の通常時の目地用ベローズ１１ａの形状を拡大したものであり、また、図３（Ｂ）は、図２（Ｂ）の収縮された目地用ベローズ１１ａを拡大したものであり、図３（Ａ）（Ｂ）において、４ａは床面、６ａは金属製ベースプレート、７ａは立上がり斜部、８ａはベローズ受け部、１３ａは底部、１４ａは金属製ベースプレートの端部枠であり、該端部枠１４ａは前記床面４ａと同一面上にある。
【００５４】
また、目地用ベローズ１１ａは、上部表面にノンスリップ形状溝１８を設けており、該目地用ベローズ１１ａエキスパンション床１０の端部にベローズ固着用枠１５を介して着脱自在に取付られている。そして、目地用ベローズ１１ａには押出成形時に各１０ｍｍ幅の圧縮孔１６を例えば三個穿つと、該目地用ベローズ１１ａは、図３（Ｂ）の如く伸縮可能で、片側で２５ｍｍ、目地用ベローズ１１ａ、１１ｂでは、５０ｍｍの可動を許容できる。
【００５５】
また、図４（Ａ）は目地用ベローズ１１ａの形状を下部Ｒ型として目地用ベローズ１１ａとベローズ受け部８ａの納まり具合をよくしたり、図４（Ｂ）では目地用ベローズ１１ａの圧縮孔１６の数量を増やして可動許容量を増加したりしている。そして、図４（Ｃ）の形状例では、前記目地用ベローズ１１ａと金属製ベースプレート端部枠１４ａ間の硬度を出来るだけ均一にするための突起１７ａを設ける等の工夫がなされている。
【００５６】
更に本発明においては、地震による建物間の変形によりエキスパンションジョイント床１０の片側や両端が建物と建物間の床面４ａ、４ｂ上に乗り上げて大きな段差を作ってしまつた場合に、該エキスパンションジョイント床１０の片側や両端部に本発明の床目地装置を取り付けることでエキスパンションジョイント床１０を含めたエキスパンションジョイント１部分をフラット形状に修復修理することが容易に行える免震エキスパンションジョイント床１０の目地装置を提供するものであり、この場合、図３（Ａ）、図４（Ａ）、（Ｂ）、（Ｃ）に示す目地用ベローズ１１ａは、他に夫々のベローズ固着用枠１５とその受け材となる金属製ベースプレート端部枠１４ａ、ベローズ受け部８ａ、底部１３ａ、立ち上がり斜部７ａを交換用目地機構部材として用意して、修復修理用の目地機構とすることができる。
【実施例２】
【００５７】
図５及び図６（Ａ）、（Ｂ）、（Ｃ）は実施例２を説明するものであり、図５は、実施例２を説明する実施形態図、図６（Ａ）は図５のｂ−ｂ断面図、図６（Ｂ）、（Ｃ）は夫々動作を説明する断面図である。図５及び図６（Ａ）、（Ｂ）、（Ｃ）において、エキスパンションジョイント１は、クリアランス２を介して建てられた左右の建物３ａ、３ｂ間の床面４ａ、４ｂに、該クリアランス２を開口するように形成された凹部形状面５ａ、５ｂを設け、この凹部形状面５ａ、５ｂ間にそれぞれ金属製のベースプレート２０とＬ字形ベースプレート１９を敷設固定している。
【００５８】
そして、前記建物３ａと建物３ｂとの躯体間に設けられたクリアランス２を塞ぐための床用エキスパンションジョイント１において、該建物３ａと建物３ｂとの躯体間上面には夫々形状の異なる凹部形状面５ａ、５ｂを構成し、該片側の凹部形状面５ｂにはＬ字形金属製ベースプレート１９を敷設し他方の金属製ベースプレート２０には前記凹部形状面の立ち上がり部分において立上がり斜部７ａとベローズ受け部８ａを設置し、該Ｌ字型金属製ベースプレート１９と立上がり斜部７ａとベローズ受け部８ａを有する凹部形状面５ａ、５ｂ間にエキスパンション床１０を架設し、該架設されたエキスパンションジョイント床１０の片側はＬ字形金属製ベースプレート１９側で複数個ウイング用丁番２１（図５、図６の記載例は丁番）やウイング用スプリング付きボルトで回動可能に固定されており、また該架設されたエキスパンションジョイント床の他方は立上がり斜部７ａとベローズ受け部８ａを設置されエキスパンション床摺動部９ａを有する金属製ベースプレート６ａ上に摺動可能に敷置され、該エキスパンションジョイント床１０の摺動可能側は前記ベローズ受け部８ａに当設されるゴム系及び樹脂系素材からなる伸縮自在の目地用ベローズ１１ａを設けている。
【００５９】
従って、地震により左右の建物３ａ、３ｂが矢印方向に揺れ動き、図６（Ｂ）に示すように目地２寸法が狭くなった場合、目地用ベローズ１１ａが前記ベローズ受け部８ａに当接して収縮するので、エキスパンションジョイント床１０は、前記床面４ａ上面に乗り上げて突出されることなく一対の凹部形状面５ａ、５ｂ上に保持されるので、床面４ａ、４ｂ、目地用ベローズ１１ａ、そして、エキスパンションジョイント床１０は平面状、即ち、フラット形状に維持される。
【００６０】
また、左右の建物３ａ、３ｂが図６（Ｃ）に示すようにエキスパンション１の寸法が広くなった場合、エキスパンションジョイント床１０は片側が固定されているのでクリアランス２中央部に位置した状態で片側の目地用ベローズ１１ａをスライド移動させ、ベローズ受け部８ａと目地用ベローズ１１ａ間に夫々隙間を形成するが、該隙間は夫々立上り斜部７ａを経て底部１３ａと嵩上げされており、大きな段差とはなりえない。
【００６１】
斯くして、本発明は、建物と建物との躯体間に設けられたクリアランスを塞ぐための床用エキスパンションジョイント用目地装置として、立上がり斜部とベローズ受け部を設置したエキスパンション床摺動部を有する金属製ベースプレートと、該エキスパンションジョイント床の端部に取付可能なベローズ固着用枠、並びに該エキスパンションジョイント床の端部に設けられるゴム系型及び樹脂系素材からなる伸縮自在の目地用ベローズをセットにして、床用エキスパンション補修用目地部材としたものであり、該補修用目地部再は、地震による建物間の変形によりエキスパンションジョイント床カバー材の片側や両端が建物と建物間の床面上に乗り上げて大きな段差を作ってしまつた場合に、該エキスパンションジョイント床カバー材の片側や、両端部に本発明の床目地装置を取り付けることでエキスパンションジョイント床カバー材を含めたエキスパンションジョイント部分をフラット形状に修復修理することが容易に行える免震エキスパンションジョイント床の目地装置を提供することが可能である。
【００６２】
そして、前記エキスパンションジョイント床の両端部、または片側に使用される目地用ベローズはゴム系及び樹脂系素材からなる収縮自在のベローズは、クロロプレンゴム、ウレタンゴム、フッ素ゴム、塩化ビニールなどの素材を押出し成形して製造するものであり、該目地用ベローズの突出部は伸縮を可能にする長手方向に穿たれた一個又は複数個の収縮孔を有しており、該目地用ベローズはエキスパンションジョイント床面の表面にノンスリップ形状溝を設け、また目地用ベローズはエキスパンション床の端部に取付けるために形成したベローズ取付部を設けることにより本発明を実施可能にしている。
【００６３】
従って、本発明は、免震エキスパンションジョイント床の目地装置において、地震時における建物と建物間に生じる変形をエキスパンションジョイントの床目地部にて吸収してエキスパンション床が、地震による建物と建物間の変形によりの床面上に水平に乗上げたり、片側先端部が床面上に突出しない目地装置を提供可能とした。
【００６４】
また本発明は、エキスパンションジョイントの目地装置は地震による揺れが続いている場合においてもエキスパンションジョイント床と目地構造部材面をフラットに保つことができ、歩行者の安全な避難が確保できる目地装置を提供可能とした。
【００６５】
そして、本発明は、地震による建物間の変形によりエキスパンションジョイント床カバー材の片側や両端が建物と建物間の床面上に乗り上げて大きな段差を作ってしまつた場合に、該エキスパンションジョイント床の片側や両端部に本発明の床目地装置を取り付けることでエキスパンションジョイント床を含めたエキスパンションジョイント部分をフラット形状に修復修理することが容易に行える免震エキスパンションジョイント床の目地装置を提供することが可能である。
【符号の説明】
【００６６】
１  エキスパンションジョイント
２  クリアランス
３ａ、３ｂ  建物
４ａ、４ｂ  床面
５ａ、５ｂ  凹部形状面
６ａ、６ｂ  金属製のベースプレート
７ａ、７ｂ  立上がり斜部
８ａ、８ｂ  ベローズ受け部
９ａ、９ｂ  エキスパンション床摺動部
１０  エキスパンションジョイント床
１１ａ、１１ｂ  目地用ベローズ
１２ａ、１２ｂ、１２ｃ・・・  中央位置維持機構
１３ａ、１３ｂ  底部
１４ａ、１４ｂ  金属製ベースプレートの端部枠
１５  ベローズ固着枠
１６  圧縮孔
１７ａ、１７ｂ  突起
１８  ノンスリップ形状溝
１９  Ｌ字形金属製ベースプレート
２０  ベースプレート
２１  ウイング用丁番
【図１】
0005912332.tif 000002
【図２】
0005912332.tif 000003
【図３】
0005912332.tif 000004
【図４】
0005912332.tif 000005
【図５】
0005912332.tif 000006
【図６】
0005912332.tif 000007
【図７】
0005912332.tif 000008
【図８】
0005912332.tif 000009
【図９】
0005912332.tif 000010
【図１０】
0005912332.tif 000011